(57)【特許請求の範囲】
【請求項１】
管継ぎ手における太い管の連設に用いられる継ぎ手管部の内側に備えられ且つその内奥部側で該継ぎ手管部の内壁に連設されている筒状部に、管継ぎ手における細い管の連設に用いられる継ぎ手管部の内径よりも小さい孔を備えた絞り孔部が備えられていることを特徴とする管継ぎ手。
【請求項２】
絞り孔部を備えた筒状部が、管継ぎ手における太い管の連設に用いられる継ぎ手管部と同心の筒状体としてあることを特徴とする請求項１記載に係る管継ぎ手。
【発明の詳細な説明】
【０００１】
【発明の属する技術分野】
この発明は管継ぎ手、特に、径違いのホースなどの各種管の連設に用いられる管継ぎ手の改良、更に詳細には、太い管の連設に用いられる継ぎ手管部に、細い管の連設に用いられる継ぎ手管部の内径よりも小さい孔径とされる絞り孔部を設けるようにした管継ぎ手の提供に関する。
【０００２】
【従来の技術】
液体あるいは気体などの各種の流体の供給手段として用いられる各種管体の接続手段として、通例、図８及び図９で示されるような管継ぎ手１００が用いられている。
【０００３】
かかる管継ぎ手１００にあっては、連設される管相互間における流体圧などの関係から、通例、連設される太い管１０１の接続部１００ａの側に細径孔１０３を設け、この細径孔１０３を、１０２の装着される接続部１００ａに備えられる流通孔１０４よりも細い径の孔として構成していた。
【０００４】
【発明が解決しようとする課題】
しかしながら、かかる従来の管継ぎ手１００にあっては、図８に示されるように、細径孔１０３を構成する接続部１００ａが、この接続部１００ａに対して、太い管１０１を被嵌状態に装着できるように厚肉部として構成してあることから、この管継ぎ手１００をプラスチック材などによる型成形によって成形してある場合、成形時のヒケあるいは成形後における収縮歪などにもとづく変形を生じ易い難があった。
【０００５】
かかる点から、管継ぎ手１００における太い管１０１の接続側にある接続部１００ａの外周面、特に、この管継ぎ手１００における孔軸の中心線方向を向いた割溝１０５とリブ１０６とを、この孔軸から放射状、即ち、この外周面の円周方向に亘って交互に連設するように設け、細径孔１０３と、太い管１０１の被嵌外周面との間に肉厚部分が生じないように構成した図９に示されるような管継ぎ手１００の提案がなされている。
【０００６】
しかしながら、かかる図９で示される管継ぎ手１００にあっては、太い管１０１の取付け部側、即ち、接続部１００ａが成形時あるいは成形後において歪み出しを生じない特長を有する反面、当該接続部１００ａにおける歪み出しを防止する手段として構成される割溝１０５及びリブ１０６との間から、液体あるいはガスなどの流体の漏れ出しを生ずる難があった。
【０００７】
本発明に係る管継ぎ手は、かかる各管の接続に用いられる従来の管継ぎ手における不都合を解消し、太い管Ｂの取付け部側における管継ぎ手Ａの歪み出しが無く、しかも、接続部における流体の漏れ出しを確実に防止することのできる管継ぎ手Ａの提供を目的としている。
【０００８】
【課題を解決するための手段】
本発明に係る管継ぎ手Ａは、叙上の目的を達成するために、請求項１の発明に係る管継ぎ手Ａを、この管継ぎ手Ａにおける太い管Ｂの連設に用いられる継ぎ手管部１０の内側に備えられ且つその内奥部側で該継ぎ手管部１０の内壁に連設されている筒状部５１に、前記管継ぎ手Ａにおける細い管Ｃの連設に用いられる継ぎ手管部２０の内径よりも小さい孔４３を備えた絞り孔部５０を備えた構成としてある。
【０００９】
更に、請求項２の発明に係る管継ぎ手Ａを、前記請求項１の発明に係る管継ぎ手Ａにあって、絞り孔部５０を備えた筒状部５１が、管継ぎ手Ａにおける太い管Ｂの連設に用いられる継ぎ手管部１０と同心の筒状体５１として構成してある。
【００１０】
【発明の実施の形態】
以下、本発明に係る典型的な管継ぎ手Ａの一実施の形態について詳細に説明する。
図１は、本発明に係る最も典型的な実施の形態に係る管継ぎ手Ａを斜視の態様で示すものであり、図２は、これを正面から、図３では、これを右から見て、更に、図４では、これを左から見て夫々示している。
次いで、図５では、この管継ぎ手Ａを、この管継ぎ手Ａにおける軸孔と直交する向きの縦断面、即ち、図２におけるＸ−Ｘ矢視の向きでの断面を、更に、図６では、軸線の向きでの縦断面、即ち、図５におけるＹ−Ｙ矢視の向きにおける断面として示してある。
更に、図７では、この管継ぎ手Ａを用いて太い管Ｂと、細い管Ｃとを具体的に接続した状態を断面の形態で示している。
【００１１】
この実施の形態に係る管継ぎ手Ａは、この管継ぎ手Ａにおける太い管Ｂの連設に用いられる継ぎ手管部１０の内側に、細い管Ｃの連設に用いられる継ぎ手管部２０の内径よりも小さい孔４３を備えた絞り孔部５０が備えられている構成としてある。
【００１２】
かかる構成としたことによって、細い管Ｃの連設に用いられる継ぎ手管部２０の内径よりも小さい孔４３を備えた絞り孔部５０を、太い管Ｂの連設に用いられる継手管部１０の側に備えさせることができると共に、この継手管部１０に対する太い管Ｂの密着した装着を可能とし、しかも、この太い管Ｂの連設側に厚肉部分を生ずることがない。
【００１３】
次いで、前記の管継ぎ手Ａにあって、管継ぎ手Ａに備えられる絞り孔部５０が、この管継ぎ手Ａにおける太い管Ｂの連設に用いられる継ぎ手管部１０の内側に備えられ、且つ、その内奥部側で該継ぎ手管部１０の内壁に連設されている筒状部５１に備えられている構成としたことを、他の典型的な実施の形態の一つとしている。
【００１４】
かかる構成とされた管継ぎ手Ａにあっては、管継ぎ手Ａ、特に、太い管Ｂの連設に用いられる継ぎ手管部１０の側に備えられる絞り孔部５０を、この管継ぎ手Ａを構成する管孔４０の成形に際して、同時に、型抜き成形をなすことができる。
【００１５】
更に、前記の管継ぎ手Ａにあって、絞り孔部５０を備えた筒状部５１が、管継ぎ手Ａにおける太い管Ｂの連設に用いられる継ぎ手管部１０と同心の筒状体として構成したことを、更に他の典型的な実施の形態の一つとしている。
【００１６】
かかる構成とされた管継ぎ手Ａにあっては、管継ぎ手Ａ、特に、管継ぎ手Ａに備えられる絞り孔部５０における細径の孔４３が、管孔４０と同一の軸中心線を有する孔として構成され、この管継ぎ手Ａによって案内される流体に対して都合の良い絞り孔部５０を構成することができる。
【００１７】
先ず、この実施の形態に係る管継ぎ手Ａは、略、その中程の円周方向に一対の環状鍔３１、３１を備えた取り付け部３０を有する管継ぎ手Ａとしてあり、この取り付け部３０の一方の側が、太い管Ｂの取付けに用いられる継ぎ手管部１０として構成してあると共に、他方の側が継ぎ手管部２０として構成してある。
【００１８】
即ち、ここで構成される管継ぎ手Ａは、軸方向に管孔４０を備えた管継ぎ手として構成されていると共に、この管継ぎ手Ａにおける長さ方向の中程の外周に、円周方向に亙って、且つ半径方向の延長線上に張り出す環状鍔３１、３１を設け、この一対の環状鍔３１、３１間を、軸方向に亘って補強仕切板３２によって連設することで、該管継ぎ手Ａの取り付け部３０を構成してある。
【００１９】
かかる構成よりなる管継ぎ手Ａにおける管孔４０にあって、前記太い管Ｂの連設される継ぎ手管部１０の側における当該管孔４０を、前記細い管Ｃの取付けられる継ぎ手管部２０の側にある細径孔４１に連通する細径孔部４１ａと、この細径孔部４１ａに対して、絞り孔部５０によって連通されている太径孔部４２として構成してある。
【００２０】
即ち、この太い管Ｂの連設に用いられる管継ぎ手Ａの継ぎ手管部１０は、太い管Ｂが密に嵌めつけられる太い外径寸法を備えていると共に、この継ぎ手管部１０の開口部端側にある太径孔４２と、この継ぎ手管部１０の内奥側にある細径孔部４１ａとの間に、この各太径孔４２及び細径孔部４１ａの中心軸線と同一の中心軸線を備えた筒状体としての筒状部５１を設けてあり、この筒状部５１に備えられている小さい孔４３によって、この太径孔４２と細径孔４１との間に絞り孔部５０を構成するようにしてある。
【００２１】
この管継ぎ手Ａの継ぎ手管部１０の側に備えられる筒状部５１は、その筒状部の内奥側において、継ぎ手管部１０の内周壁に連設された筒状体として構成してあると共に、この筒状部５１に備えられる孔４３を、前記管孔４０における細径孔部４１ａの孔径よりも細い孔径のものとして構成してある。
【００２２】
また、この実施の形態に係る管継ぎ手Ａにあっては、管孔４０における細径孔部４１ａから孔４３に向けた孔部を、この孔４３に向けて先窄まり状の円錐状孔部４３ａとして構成してあると共に、太径孔４２の側にある孔４３の孔部を、この太径孔４２に向けて漸次拡開状に開き出す円錐状孔部４３ｂとして構成してある。
【００２３】
かかる実施の形態に係る管継ぎ手Ａにおける絞り孔部５０を、より具体的に説明すると、太い管Ｂの連設側にある継ぎ手管部１０の内側に、この継ぎ手管部１０と二重の筒体を構成するように筒状部５１を筒状体のものとして配し、この筒状体をなす筒状部５１の内奥側において、この筒状部５１と継ぎ手管部１０の内壁とを相互に連設する構成とし、しかも、この筒状部５１に開設される孔４３を、管継ぎ手Ａにおける管孔４０、特に細径孔４１及びこの細径孔４１と同一孔径をなして、該細径孔４１に連通されている細径孔部４１ａと同一の中心軸線上にあって、しかも、この細径孔部４１ａの孔径よりも小さい孔径として構成してあることから、この管継ぎ手Ａ、特に、絞り孔部５０を備えた管孔４０を、二面割りの型抜きによるプラスチック成形によって構成することができる。
【００２４】
尚、この実施の形態に係る管継ぎ手Ａにあっては、夫々の継ぎ手管部１０、及び継ぎ手管部２０の開口端部側に、夫々の管部の円周方向に向けて環状の係合隆起部１１、２１を設けると共に、この夫々の係合隆起部１１、２１における外周面を、夫々の開口端に向けて、この各係合隆起部１１、２１が薄肉となるように傾斜する傾斜面１１ａ、２１ａを備えた構成としてあり、この継ぎ手管部１０、及び継ぎ手管部２０に対するゴムホースなどの各連設管の差入れ結合に都合の良い構成としてある。
【００２５】
かくして用意される管継ぎ手Ａは、例えば、取り付け部３０部分において、この管継ぎ手Ａを、各種の機器類に対して取り付けると共に、継ぎ手管部１０に対して太い管Ｂを装着し、また、継ぎ手管部２０に対して細い管Ｃを装着するようにして、太い管Ｂと細い管Ｃとが、絞り孔部５０を備えた状態において連設される構成としてある。
【００２６】
このように組みつけ構成される管継ぎ手Ａにあっては、細い管Ｃ及び太い管Ｂ、特に、細い管Ｃにおける流体圧などの、流体特性を何等損なうことなく、太い管Ｂと細い管Ｃとの連設をなすことができる。
【００２７】
かかる点から、この実施の形態に係る管継ぎ手Ａは、例えば、自動車エンジンのベンチレ−ションにおける不活性ガスのガス抜き用の管継ぎ手Ａなどとして用いることができる。
【００２８】
【発明の効果】
この発明に係る管継ぎ手Ａは、前記の特長ある構成、特に、管継ぎ手Ａにおける太い管Ｂの連設に用いられる継ぎ手管部１０の内側に、細い管Ｃの連設に用いられる継ぎ手管部２０の内径よりも小さい孔４３を備えた絞り孔部５０が備えられている構成としたこと、即ち、細い管Ｃの連設に用いられる継ぎ手管部２０の内径よりも小さい孔４３を備えた絞り孔部５０を、太い管Ｂの連設に用いられる継手管部１０の側に備えさせることができると共に、この継手管部１０に対する太い管Ｂの密着した装着を可能とし、しかも、この太い管Ｂの連設側に厚肉部分を生じないように構成できる特長を有している。
【００２９】
次いで、前記の管継ぎ手Ａにあって、管継ぎ手Ａに備えられる絞り孔部５０が、この管継ぎ手Ａにおける太い管Ｂの連設に用いられる継ぎ手管部１０の内側に備えられ、且つ、その内奥部側で該継ぎ手管部１０の内壁に連設されている筒状部５１に備えられている構成としたことによって、管継ぎ手Ａ、特に、太い管Ｂの連設に用いられる継ぎ手管部１０の側に備えられる絞り孔部５０を、この管継ぎ手Ａを構成する管孔４０の成形に際して、同時に、型抜き成形することができる特長を有している。
【００３０】
更に、前記の管継ぎ手Ａにあって、絞り孔部５０を備えた筒状部５１が、管継ぎ手Ａにおける太い管Ｂの連設に用いられる継ぎ手管部１０と同心の筒状体として構成したことによって、管継ぎ手Ａ、特に、管継ぎ手Ａに備えられる絞り孔部５０における細径の孔４３が、管孔４０と同一の軸中心線を有する孔として構成され、この管継ぎ手Ａによって案内される流体に対して都合の良い絞り孔部５０の構成をなすことができる特長を有している。
【図面の簡単な説明】
【図１】典型的な一実施の形態に係る管継ぎ手の斜視図
【図２】同正面図
【図３】同右側面図
【図４】同左側面図
【図５】図２のＸ−Ｘ線断面図
【図６】図５のＹ−Ｙ線断面図
【図７】同使用状態を示す断面図
【図８】従来の管継ぎ手の使用状態を示す断面図
【図９】更に他の従来の管継ぎ手の使用状態を示す断面図
【符号の説明】
Ａ  管継ぎ手
Ｂ  太い管
Ｃ  細い管
１０  継ぎ手部
２０  継ぎ手部
３０  取付け部
４０  管孔
５０  絞り孔部
５１  筒状部
【図１】
0003540888.tif 000002
【図２】
0003540888.tif 000003
【図３】
0003540888.tif 000004
【図４】
0003540888.tif 000005
【図５】
0003540888.tif 000006
【図６】
0003540888.tif 000007
【図７】
0003540888.tif 000008
【図８】
0003540888.tif 000009
【図９】
0003540888.tif 000010